(57)【要約】【課題】  基板に実装したＬＥＤを有する発光部と、電源回路及び口金を有している電源部とを備えてなる口金付ＬＥＤユニットであって、電源回路の発熱によってＬＥＤの光出力が低下することを防止できる口金付ＬＥＤユニットを提供する。【解決手段】  基板２に実装したＬＥＤ３を有する発光部４と、入力電圧をＬＥＤ用電圧に変換する電源回路５及びこの電源回路５に電気的に接続すると共に外部電源に接続される口金６を有していて前記発光部４と電気的に接続している電源部７とを備えてなる口金付ＬＥＤユニット１において、基板２に実装したＬＥＤ３を、発光部ケース９に収納し、電源回路５を、口金６と一体に形成している電源部ケース１０に収納していて、基板２に実装したＬＥＤ３と電源回路５とを、互いに独立しているケースに収納していることを特徴とする口金付ＬＥＤユニット。【選択図】図１
2005216495.tif 000002
【特許請求の範囲】
【請求項１】
基板に実装したＬＥＤを有する発光部と、入力電圧をＬＥＤ用電圧に変換する電源回路及びこの電源回路に電気的に接続すると共に外部電源に接続される口金を有していて前記発光部と電気的に接続している電源部とを備えてなる口金付ＬＥＤユニットにおいて、基板に実装したＬＥＤを、発光部ケースに収納し、電源回路を、口金と一体に形成している電源部ケースに収納していて、基板に実装したＬＥＤと電源回路とを、互いに独立しているケースに収納していることを特徴とする口金付ＬＥＤユニット。
【請求項２】
発光部ケースと電源部ケースとをジョイント部材を用いて、構造的に接続し、前記ジョイント部材の内側にリード線を通して発光部と電源部とを電気的に接続していることを特徴とする請求項１記載の口金付ＬＥＤユニット。
【請求項３】
発光部ケースを電源部ケースに嵌合することにより、発光部と電源部とを構造的に接続すると共に、発光部に備えたピン状の電極を、電源部に備えた接続端子に接続して発光部と電源部とを電気的に接続するようにしていることを特徴とする請求項１記載の口金付ＬＥＤユニット。
【請求項４】
発光部ケースを電源部ケースにねじ込むことにより、発光部と電源部とを構造的に接続すると共に、発光部に備えたピン状の電極を、電源部に備えた接続端子に接続して発光部と電源部とを電気的に接続するようにしていることを特徴とする請求項１記載の口金付ＬＥＤユニット。
【請求項５】
発光部からの光の向きを可変とするように、発光部ケースをジョイント部材に回動可能に取付けていることを特徴とする請求項２記載の口金付ＬＥＤユニット。
【発明の詳細な説明】
【技術分野】
【０００１】
本発明は、照明装置等に使用される、外部電源に接続される口金と、光源となるＬＥＤ（発光ダイオード）とを備える口金付ＬＥＤユニットに関するものである。
【背景技術】
【０００２】
近年、照明装置等に消費電力が少なく、長寿命のＬＥＤ（発光ダイオード）を光源とするＬＥＤユニットが用いられている。そして、白熱電球の口金が装着されるソケットに直接装着して、外部電源に接続される口金と、光源となるＬＥＤとを備える口金付ＬＥＤユニットが提案されている（特許文献１参照）。特許文献１の図２に示されている口金付ＬＥＤユニットは、基板に実装したＬＥＤを有する発光部と、入力電圧をＬＥＤ用電圧に変換する電源回路と、この電源回路に電気的に接続すると共に外部電源に接続される口金とを一体化した構造を有している。
【０００３】
ＬＥＤは、電流が一定の場合、温度上昇するに従って光出力が低下する。特許文献１の図２に示されるような、発光部と電源回路と口金とを一体化した構造の口金付ＬＥＤユニットでは、口金がＬＥＤユニット全体の構造的な固定を兼ねているため、発光部と電源回路とが分離せずに、近接している。このように、発光部と電源回路とが近接していると、ＬＥＤは、素子自体の発熱と電源回路の発熱とにより温度上昇し、光出力が低下するという問題があった。
【特許文献１】特開２００１−５２５０４号公報（図２）
【発明の開示】
【発明が解決しようとする課題】
【０００４】
本発明は、上記背景技術に鑑みて発明されたものであり、その課題は、基板に実装したＬＥＤを有する発光部と、入力電圧をＬＥＤ用電圧に変換する電源回路及びこの電源回路に電気的に接続すると共に外部電源に接続される口金を有していて前記発光部と電気的に接続している電源部とを備えてなる口金付ＬＥＤユニットであって、電源回路の発熱によってＬＥＤの光出力が低下することを防止できる口金付ＬＥＤユニットを提供することである。
【課題を解決するための手段】
【０００５】
上記課題を解決するために、請求項１に係る発明は、基板に実装したＬＥＤを有する発光部と、入力電圧をＬＥＤ用電圧に変換する電源回路及びこの電源回路に電気的に接続すると共に外部電源に接続される口金を有していて前記発光部と電気的に接続している電源部とを備えてなる口金付ＬＥＤユニットにおいて、基板に実装したＬＥＤを、発光部ケースに収納し、電源回路を、口金と一体に形成している電源部ケースに収納していて、基板に実装したＬＥＤと電源回路とを、互いに独立しているケースに収納していることを特徴としている。このようにすることによって、電源回路の発熱によってＬＥＤの光出力が低下することを防止できる口金付ＬＥＤユニットとなる。
【０００６】
請求項２に係る発明は、請求項１記載の口金付ＬＥＤユニットにおいて、発光部ケースと電源部ケースとをジョイント部材を用いて、構造的に接続し、前記ジョイント部材の内側にリード線を通して発光部と電源部とを電気的に接続していることを特徴としている。このようにすることによって、発光部と電源部とを電気的に接続する配線がすっきりしたものとなる。
【０００７】
請求項３に係る発明は、請求項１記載の口金付ＬＥＤユニットにおいて、発光部ケースを電源部ケースに嵌合することにより、発光部と電源部とを構造的に接続すると共に、発光部に備えたピン状の電極を、電源部に備えた接続端子に接続して発光部と電源部とを電気的に接続するようにしていることを特徴としている。このようにすることによって、よりコンパクトな口金付ＬＥＤユニットを提供することが可能となる。
【０００８】
請求項４に係る発明は、請求項１記載の口金付ＬＥＤユニットにおいて、発光部ケースを電源部ケースにねじ込むことにより、発光部と電源部とを構造的に接続すると共に、発光部に備えたピン状の電極を、電源部に備えた接続端子に接続して発光部と電源部とを電気的に接続するようにしていることを特徴としている。このようにすることによって、よりコンパクトな口金付ＬＥＤユニットを提供することが可能となる。
【０００９】
請求項５に係る発明は、請求項２記載の口金付ＬＥＤユニットにおいて、発光部からの光の向きを可変とするように、発光部ケースをジョイント部材に回動可能に取付けていることを特徴としている。このようにすることによって、発光部からの光の向きを変えることができる口金付ＬＥＤユニットとなる。
【発明の効果】
【００１０】
本発明の口金付ＬＥＤユニットは、基板に実装したＬＥＤを有する発光部と、入力電圧をＬＥＤ用電圧に変換する電源回路及びこの電源回路に電気的に接続すると共に外部電源に接続される口金を有していて前記発光部と電気的に接続している電源部とを備えてなる口金付ＬＥＤユニットにおいて、基板に実装したＬＥＤを発光部ケースに収納し、電源回路を口金と一体に形成している電源部ケースに収納していて、基板に実装したＬＥＤと電源回路とを、互いに独立しているケースに収納しているので、電源回路の発熱によってＬＥＤの光出力が低下することを防止できる口金付ＬＥＤユニットとなる。
【発明を実施するための最良の形態】
【００１１】
以下、本発明の好ましい実施の形態について説明する。
【００１２】
図１は、本発明の第１実施形態の口金付ＬＥＤユニット１を示している概略図である。この第１実施形態の口金付ＬＥＤユニット１は、図１に示すように、基板２に実装したＬＥＤ３を有する発光部４と、入力電圧をＬＥＤ用電圧に変換する電源回路５及びこの電源回路５に電気的に接続すると共に外部電源に接続される口金６を有していて、発光部４と電気的に接続している電源部７とを備えている。
【００１３】
発光部４は、ＬＥＤ３を実装した金属基板等の基板２を、電気絶縁性を有する高熱伝導材８を介して、発光部ケース９に固着している。電気絶縁性を有する高熱伝導材８としては、例えば、アルミナ基板や絶縁被覆した金属板等を挙げることができる。また、電源部７においては、電源回路５を、口金６と一体に形成している電源部ケース１０に収納している。発光部ケース９と、電源部ケース１０とは互いに独立しているケースである。そして、発光部ケース９と、電源部ケース１０とは、ジョイント部材１１を用いて、構造的に接続している。この第１実施形態では、発光部ケース９と、電源部ケース１０とは、それぞれジョイント部材１１に固着し、ジョイント部材１１の内側にリード線１２を通し、発光部４と電源部７とを電気的に接続しており、電源部ケース１０内の温度変化が発光部ケース９内の温度に影響を与えないようにしている。なお、リード線１２はジョイント部材１１の内側を通しているので、発光部４と電源部７とを電気的に接続する配線はすっきりしたものとなる。
【００１４】
この第１実施形態の口金付ＬＥＤユニット１では、基板２に実装したＬＥＤ３は発光部ケース９に収納し、電源回路５は電源部ケース１０に収納していて、ＬＥＤ３と電源回路５とはそれぞれ互いに独立しているケースに収納しているので、電源回路５の発熱の影響をＬＥＤ３が受けることはほとんどなく、電源回路５の発熱によってＬＥＤ３の温度上昇が引き起こされることはない。従って、この口金付ＬＥＤユニット１では、電源回路５の発熱があった場合でもＬＥＤ３の光出力が低下することを防止することができる。また、この第１実施形態では、ＬＥＤ３を実装した基板２を、電気絶縁性を有する高熱伝導材８を介して、発光部ケース９に固着しているので、ＬＥＤ３で発生した熱の放熱性が向上する。また、電気絶縁性を有する高熱伝導材８を採用することで、静電気及び雷サージに強いという利点もある。なお、電源回路５に電気的に接続すると共に外部電源に接続される口金６としては、図１に示すねじ込み式の口金６の他に、図２に示すようなピン式の口金６や、図3に示すような差込み式の口金６とすることも可能である。
【００１５】
また、第１実施形態の口金付ＬＥＤユニット１のジョイント部材１１を、発光部ケース９が回動自在となる構造にすると、発光部４からの光の向きを変えることができるようになる。第１実施形態の変形例である、発光部４からの光の向きを変えることができるようにした例を図４、図５に示す。図４に示す口金付ＬＥＤユニット１では、発光部ケース９が、ジョイント部材１１の一方の端部１３を軸にして回動可能になっているので、発光部４からの光の向きを変えることが可能となっている。さらに、図４に示す口金付ＬＥＤユニット１では、電源部ケース１０の上部１４が１８０度回転する構造としているので、発光部４からの光の向きを変えれる範囲を大きくすることができる。また、図５に示す変形例の口金付ＬＥＤユニット１では、１本のジョイント部材１１の頂部１６に、発光部ケース９の底部に形成した凹所１７を嵌めこみ、発光部ケース９がジョイント部材１１の頂部１６を中心として回動自在となっており、１本のジョイント部材１１という簡単な構造で、光の向きを変えれる範囲を大きくすることが可能となっている。
【００１６】
次に、図６は、本発明の第２実施形態の口金付ＬＥＤユニット１を示している概略図である。この第２実施形態の口金付ＬＥＤユニット１は、ジョイント部材１１は用いずに、発光部ケース９を電源部ケース１０に嵌合することにより、発光部４と電源部７とを構造的に接続すると共に、発光部４に備えたピン状の電極１８を、電源部７に備えた接続端子１９に接続して発光部４と電源部７とを電気的に接続するようにしている。このようにすることによって、よりコンパクトな口金付ＬＥＤユニット１を提供することが可能となる。
【００１７】
また、図７は、本発明の第３実施形態の口金付ＬＥＤユニット１を示している概略図である。この第３実施形態の口金付ＬＥＤユニット１は、ジョイント部材１１は用いずに、発光部ケース９を電源部ケース１０にねじ込むことにより、発光部４と電源部７とを構造的に接続すると共に、発光部４に備えたピン状の電極１８を、電源部に備えた接続端子１９に接続して発光部と電源部とを電気的に接続するようにしている。このようにすることによって、よりコンパクトな口金付ＬＥＤユニット１を提供することが可能となる。
【図面の簡単な説明】
【００１８】
【図１】本発明の第１実施形態の口金付ＬＥＤユニットを示している概略断面図である。
【図２】第１実施形態の口金付ＬＥＤユニットについて、口金６をピン式とした例を示す要部概略図である。
【図３】第１実施形態の口金付ＬＥＤユニットについて、口金６を差込み式とした例を示す要部概略図である。
【図４】第１実施形態の一変形例を示す側面図である。
【図５】第１実施形態の他の変形例を示す側面図である。
【図６】本発明の第２実施形態の口金付ＬＥＤユニットを示している部分側面図である。
【図７】本発明の第３実施形態の口金付ＬＥＤユニットを示している部分側面図である。
【符号の説明】
【００１９】
１  口金付ＬＥＤユニット
２  基板
３  ＬＥＤ
４  発光部
５  電源回路
６  口金
７  電源部
８  高熱伝導材
９  発光部ケース
１０  電源部ケース
１１  ジョイント部材
１２  リード線
１３  端部
１４  上部
１６  頂部
１７  凹所
１８  電極
１９  接続端子
【図１】
2005216495.tif 000003
【図２】
2005216495.tif 000004
【図３】
2005216495.tif 000005
【図４】
2005216495.tif 000006
【図５】
2005216495.tif 000007
【図６】
2005216495.tif 000008
【図７】
2005216495.tif 000009